(57)【要約】【課題】電圧駆動素子の駆動回路の小型化、簡素化、低価格化を図ることを目的とするものである。【解決手段】互いに逆極性になるようにコアに巻装された第１と第２の１次巻線と、２次巻線とを有する駆動トランスと、前記第１の１次巻線に直列接続されたオン駆動用スイッチ素子と、一対の直流電圧端子の間に前記第２の１次巻線と抵抗を介して接続されたオフ駆動用スイッチ素子と、前記２次巻線の両端間にゲートと一方の主端子とが接続された電圧駆動素子とを備え、前記オフ駆動用スイッチ素子はオフ駆動用信号でオンして、電圧駆動素子に逆バイアス電圧を与えることによって、電圧駆動素子を高速でターンオフさせることを特徴とする電圧駆動素子の駆動回路。【選択図】  図１
2005006172.tif 000002
【特許請求の範囲】
【請求項１】
互いに逆極性になるようにコアに巻装されている第１と第２の１次巻線と、２次巻線とを有する駆動トランスと、
前記第１の１次巻線を介して一対の直流電圧端子の間に接続されているオン駆動用スイッチ素子と、
前記第２の１次巻線と抵抗とを介して前記一対の直流電圧端子の間に接続されているオフ駆動用スイッチ素子と、
前記２次巻線の両端間にゲートと一方の主端子とが接続されている電圧駆動素子とを備え、
前記オン駆動用スイッチ素子は、オン駆動用信号を受けるとオンし、前記第１の１次巻線と前記２次巻線とを通して前記電圧駆動素子に順バイアス電圧を与えることによって、前記電圧駆動素子をターンオンさせ、
前記オフ駆動用スイッチ素子は、前記オン駆動用信号と前記オン駆動用信号との間のオフ駆動用信号でオンし、前記第２の１次巻線と前記２次巻線とを通して前記電圧駆動素子に逆バイアス電圧を与えることによって、前記電圧駆動素子を高速でターンオフさせることを特徴とする電圧駆動素子の駆動回路。
【請求項２】
互いに逆極性になるようにコアに巻装されている第１と第２の１次巻線と、２次巻線とを有する駆動トランスと、
前記第１の１次巻線を介して一対の直流電圧端子の間に接続されているオン駆動用スイッチ素子と、
前記第２の１次巻線と抵抗とを介して前記一対の直流電圧端子の間に接続されているオフ駆動用スイッチ素子と、
前記２次巻線の両端間にゲートと一方の主端子とが接続されている電圧駆動素子と、
オン信号を受けると、前記オン駆動用スイッチ素子をオンさせるオン駆動用信号を生じるバッファＩＣと、
前記オン信号を反転する信号反転ＩＣであって、前記オン信号を受けると、前記オフ駆動用スイッチ素子をオフにし、前記オン信号と前記オン信号との間のオフ信号で前記オフ駆動用スイッチ素子をオンさせるオン駆動用信号を生じる信号反転手段と、
を備え、
前記電圧駆動素子のターンオフ時には、前記オフ駆動用スイッチ素子をオンさせ、前記電圧駆動素子を逆バイアス駆動することによって、前記電圧駆動素子を高速でターンオフさせることを特徴とする電圧駆動素子の駆動回路。
【請求項３】
請求項１又は請求項２において、
前記抵抗と並列にコンデンサを接続することによって、前記逆バイアス駆動を高速化し、前記電圧駆動素子を更に高速でターンオフさせることを特徴とする電圧駆動素子の駆動回路。
【請求項４】
請求項１ないし請求項３のいずれかの１項において、
前記オン駆動用スイッチ素子のゲート、前記オフ駆動用スイッチ素子のゲートはそれぞれのドライブ用抵抗を介して前記直流電圧端子に接続されていることを特徴とする電圧駆動素子の駆動回路。
【請求項５】
請求項１ないし請求項４のいずれかの１項において、
前記２次巻線間に抵抗を接続し、該抵抗に跨って第１、第２のダイオードとトランジスタとの直列接続回路を接続するとともに、前記電圧駆動素子の逆バイアス駆動時に前記トランジスタがオンするように、その制御極を前記２次巻線の一方に接続し、前記電圧駆動素子をより高速でターンオフさせると同時に、オフ期間中に過大なサージ電圧が前記電圧駆動素子に印加されても、該電圧駆動素子が誤動作しないことを特徴とする電圧駆動素子の駆動回路。
【請求項６】
請求項１ないし請求項５のいずれかの１項において、
前記駆動トランスの前記２次巻線は複数個備えられ、複数個の前記電圧駆動素子を駆動できることを特徴とする電圧駆動素子の駆動回路。
【発明の詳細な説明】
【０００１】
【発明の属する技術分野】
本発明は、電源装置などに用いられるＭＯＳＦＥＴ、ＩＧＢＴなどのような電圧駆動素子を動作させる簡単な回路構成の駆動回路に関するものである。
【０００２】
【従来の技術】
下記特許文献１に開示された従来の電圧駆動素子の駆動回路について、図７によって説明する。従来例は、電界効果トランジスタ（ＦＥＴ）のように電圧で駆動される電圧駆動素子Ｑをオン駆動するためのオン駆動用回路６１と、それをオフ駆動するためのオフ駆動用回路７１と、電圧駆動素子Ｑを保護するための保護回路８１とを備えている。
【０００３】
オン駆動用回路６１は、共通の直流電源５１に接続された１次巻線６２ａを有するオン駆動用トランス６２、その１次巻線６２ａに直列接続されたオン駆動用ＦＥＴ６３、駆動トランス６２の２次巻線６２ｂに直列に接続されたトランジスタ６４などから構成される。トランジスタ６４は、オン駆動用ＦＥＴ６３がオンすると、オンし、保護回路８１を介して電圧駆動素子Ｑのゲートーソース間に正の電圧を印加し、電圧駆動素子Ｑをターンオンさせる。
【０００４】
オフ駆動用回路７１は、オン駆動用回路６１と並列であって、直流電源５１に接続された１次巻線７２ａを有するオフ駆動用トランス７２、その１次巻線７２ａに直列接続されたオフ駆動用ＦＥＴ７３、オフ駆動用トランス７２の２次巻線７２ｂに直列接続されたトランジスタ７４などから構成される。トランジスタ７４は、オフ駆動用ＦＥＴ７３をオンさせると、オンし、保護回路８１を介して電圧駆動素子Ｑのゲートーソース間に負の電圧を印加し、電圧駆動素子Ｑを高速でターンオフさせる。
【０００５】
保護回路８１は、電圧駆動素子Ｑの静電容量、分布容量を通して大きなノイズが侵入しても、バイパスすることにより電圧駆動素子Ｑを誤動作させない。また、保護回路８１は、前記オン駆動用回路６１、前記オフ駆動用回路７１と電圧駆動素子Ｑとの間に共通で設けられ、前記オン駆動用回路６１からのオン駆動電圧を電圧駆動素子Ｑのゲートに通過させて電圧駆動素子Ｑをターンオンさせ、前記オフ駆動用回路７１からのオフ駆動電圧を電圧駆動素子Ｑのゲートに通過させて電圧駆動素子Ｑを高速でターンオフさせる。
【０００６】
したがって、この従来例の駆動回路は電圧駆動素子Ｑを高速でターンオフさせることができると共に、電圧駆動素子Ｑの静電容量や分布容量などを介して大きなノイズが駆動回路に侵入しても、保護回路８１の働きで電圧駆動素子Ｑが誤動作することがなく、特性的には優れている。
【０００７】
【特許文献１】
特開平１−２２７５２１号公報（第２頁、第３頁、第１図、第３図）
【０００８】
【発明が解決しようとする課題】
しかしながら、前記従来例では、２個の駆動トランス６２、７２が必要であると共に、オン駆動用ＦＥＴ６３、オフ駆動用ＦＥＴ７３のそれぞれに同期してオンするトランジスタ６４、７４が必要であり、また部品点数が多いこともあって、駆動回路の小型化、簡素化という面で欠点があると同時に、信頼性や経済面でも問題がある。
【０００９】
本発明は、ＭＯＳＦＥＴ、ＩＧＢＴなどの電圧駆動素子をオン、オフさせる駆動回路を小型化、簡素化、低価格化することを目的とするものである。
【００１０】
【課題を解決するための手段】
本願請求項１の発明は、互いに逆極性になるようにコアに巻装されている第１と第２の１次巻線と、２次巻線とを有する駆動トランスと、前記第１の１次巻線を介して一対の直流電圧端子の間に接続されているオン駆動用スイッチ素子と、前記第２の１次巻線と抵抗とを介して前記一対の直流電圧端子の間に接続されているオフ駆動用スイッチ素子と、前記２次巻線の両端間にゲートと一方の主端子とが接続されている電圧駆動素子とを備え、前記オン駆動用スイッチ素子は、オン駆動用信号を受けるとオンし、前記第１の１次巻線と前記２次巻線とを通して前記電圧駆動素子に順バイアス電圧を与えることによって、前記電圧駆動素子をターンオンさせ、前記オフ駆動用スイッチ素子は、前記オン駆動用信号と前記オン駆動用信号との間のオフ駆動用信号でオンして、前記第２の１次巻線と前記２次巻線とを通して前記電圧駆動素子に逆バイアス電圧を与えることによって、前記電圧駆動素子を高速でターンオフさせることを特徴とする電圧駆動素子の駆動回路を提供するものである。
【００１１】
請求項１の電圧駆動素子の駆動回路によれば、単一の駆動トランスによって、電圧駆動素子のゲートーソース間に、順バイアス駆動電圧と逆バイアス駆動電圧の双方を交互に与えることができるので、単一の駆動トランスでもって電圧駆動素子を高速でスイッチング、特に電圧駆動素子を高速でターンオフさせることができる。したがって、駆動回路の優れた特性を維持しながら、その小型化、簡素化、低価格化を達成できる。
【００１２】
本願請求項２の発明は、互いに逆極性になるようにコアに巻装されている第１と第２の１次巻線と、２次巻線とを有する駆動トランスと前記第１の１次巻線を介して、一対の直流電圧端子の間に接続されたオン駆動用スイッチ素子と、前記第２の１次巻線と抵抗とを介して前記一対の直流電圧端子の間に接続されたオフ駆動用スイッチ素子と、前記２次巻線の両端間にゲートと一方の主端子とが接続されている電圧駆動素子と、オン信号を受けると、前記オン駆動用スイッチ素子をオンさせるオン駆動用信号を生じるバッファＩＣと、前記オン信号を反転する信号反転ＩＣであって、前記オン信号を受けると、前記オフ駆動用スイッチ素子をオフにし、前記オン信号と前記オン信号との間のオフ信号で前記オフ駆動用スイッチ素子をオンさせるオン駆動用信号を生じる信号反転手段とを備え、前記電圧駆動素子のターンオフ時には、前記オフ駆動用スイッチ素子をオンさせ、前記電圧駆動素子を逆バイアス駆動することによって、前記電圧駆動素子を高速でターンオフさせることを特徴とする電圧駆動素子の駆動回路を提供するものである。
【００１３】
請求項２の電圧駆動素子の駆動回路によれば、単一の駆動トランスによって、電圧駆動素子のゲートーソース間に、順バイアス駆動電圧と逆バイアス駆動電圧の双方を交互に与えることができるので、簡単な回路構成で小型、低価格の駆動回路によって、電圧駆動素子を高速でスイッチング、特に電圧駆動素子を高速でターンオフさせることができる。
【００１４】
本願請求項３は、請求項１又は請求項２において、前記抵抗と並列にコンデンサを接続することによって、前記逆バイアス駆動を高速化し、前記電圧駆動素子を更に高速でターンオフさせることを特徴とする電圧駆動素子の駆動回路を提供するものである。
【００１５】
請求項３の電圧駆動素子の駆動回路によれば、請求項１、請求項２の効果のほかに、逆バイアス駆動を高速化できるコンデンサを備えているので、更に一層、電圧駆動素子を高速でターンオフさせることができる。
【００１６】
本願請求項４は、請求項１ないし請求項３のいずれかの１項において、前記オン駆動用スイッチ素子、前記オフ駆動用スイッチ素子のゲートはそれぞれのドライブ用抵抗を介して前記直流電圧端子に接続されることを特徴とする電圧駆動素子の駆動回路を提供するものである。
【００１７】
請求項４の電圧駆動素子の駆動回路によれば、請求項１〜請求項３の効果のほかに、電圧駆動素子の駆動を更に安定で確実なものにすることができる。
【００１８】
本願請求項５は、請求項１ないし請求項４のいずれかの１項において、前記２次巻線間に抵抗を接続し、該抵抗に跨って第１、第２のダイオードとトランジスタとの直列接続回路を接続するとともに、前記電圧駆動素子の逆バイアス駆動時に前記トランジスタがオンするようにその制御極を前記２次巻線の一方に接続し、前記前記電圧駆動素子をより高速でターンオフさせると同時に、オフ期間中の誤動作を防ぐことを特徴とする電圧駆動素子の駆動回路を提供するものである。
【００１９】
請求項５の電圧駆動素子の駆動回路によれば、請求項１〜請求項４の効果のほかに、電圧駆動素子の誤動作を防ぐことができる。
【００２０】
本願請求項６は、請求項１ないし請求項５のいずれかの１項において、前記駆動トランスの前記２次巻線は複数個備えられ、複数個の前記電圧駆動素子を駆動できることを特徴とする電圧駆動素子の駆動回路を提供するものである。
【００２１】
請求項６の電圧駆動素子の駆動回路によれば、請求項１〜請求項５の効果のほかに、電位の異なる複数個の電圧駆動素子を同時に駆動することができ、またブリッジインバータ回路を容易に構成することができる。
【００２２】
【発明の実施の形態および実施例】
図１は、本発明の一実施例である電圧駆動素子の駆動回路１００を示す図である。駆動電源電圧端子１、２には、図示しない整流回路によって交流電圧を直流に変換した直流電圧が印加される。
【００２３】
駆動トランス３は第１の１次巻線３ａ、第２の１次巻線３ｂ、２次巻線３ｃを有する。第１の１次巻線３ａと第２の１次巻線３ｂとは、不図示のトランスコアに互いに逆極性になるように巻かれており、その極性は黒点で示されている。
【００２４】
第１の１次巻線３ａと直列に、ＦＥＴのようなオン駆動用スイッチ素子４が接続され、第１の１次巻線３ａとオン駆動用スイッチ素子４との直列接続回路は駆動電源電圧端子１、２間に接続されている。また、第２の１次巻線３ｂと直列に、ＦＥＴのようなオフ駆動用スイッチ素子５が接続されており、第２の１次巻線３ｂとオフ駆動用スイッチ素子５との直列接続回路は、抵抗６を介して駆動電源電圧端子１、２間に接続されている。抵抗６は、オフ駆動用スイッチ素子５を流れる電流の制限と、駆動トランス３のリセット作用とを行う。
【００２５】
駆動トランス３の第２の１次巻線３ｂとオフ駆動用スイッチ素子５との直列接続回路と並列にダイオード７が接続されている。ダイオード７は、オン駆動用スイッチ素子４がオンのときに２次巻線３ｃを通して電圧駆動素子Ｑのゲートキャパシタンスに充電された電荷を、オフ駆動用スイッチ素子５がオンのときに第２の１次巻線３ｂ―オフ駆動用スイッチ素子５―ダイオード７からなる閉回路で循環し、第２の１次巻線３ｂが２次巻線３ｃを実質的に短絡する。
【００２６】
制御信号端子８には、矩形波の高電圧レベルのオン信号と低電圧レベルのオフ信号とが印加される。オフ信号は通常、ゼロレベルであり、ここでは便宜上、オン信号とオン信号との間の低電圧レベルの信号をオフ信号と言う。
【００２７】
バッファＩＣ９は、オン信号を受けて矩形波の適当な大きさの電圧レベルであるオン駆動信号を生じて、オン駆動用スイッチ素子４のゲートーソース間に印加し、オン駆動用スイッチ素子４をオンさせる。オフ信号を受けるときには、オン駆動用スイッチ素子４をオフさせる。
【００２８】
信号反転ＩＣ１０は、オン信号を受けると、これを反転して低電圧レベルのオフ駆動信号をオフ駆動用スイッチ素子５に与えて、これをオフさせる。また、信号反転ＩＣ１０は低電圧レベルのオフ信号を受けると、これを反転して高電圧レベルのオン駆動信号を出力し、オフ駆動用スイッチ素子５をオンさせる。
【００２９】
なお、電圧駆動素子Ｑは、図示しないシングルエンデッドタイプ又はフルブリッジタイプなどの各種インバータ回路、あるいはＤＣ−ＤＣコンバータ回路、又はスイッチングレギュレータなどにおける直流電圧端子Ｔ１とＴ２間に接続されたスイッチング素子であり、電圧で駆動されるＦＥＴ、ＩＧＢＴのような半導体素子である。
【００３０】
次に、図１と図２とによって本発明の１実施例である電圧駆動素子の駆動回路１００の動作について説明する。
【００３１】
先ず、図示しないパルス幅制御回路などから制御信号端子８に図２（Ａ）に示すようなオン信号Ｓ１が与えられると、図２（Ｂ）に示すように、バッファＩＣ９は矩形波の適当な電圧値のオン駆動信号Ｓ３を、オン駆動用スイッチ素子４のゲートーソース間に与えて、これをオンさせる。オン駆動用スイッチ素子４のオンによって、駆動電源電圧端子１から駆動トランス３の第１の１次巻線３ａ、オン駆動用スイッチ素子４を通して駆動電源電圧端子２に電流が流れる。
【００３２】
オン駆動用スイッチ素子４のオンによって、そのドレインＤの電圧は、図２（Ｄ）に示すようにほぼゼロまで低下し、第１の１次巻線３ａには駆動電源電圧端子１、２間の直流電圧が印加される。これに伴い、駆動トランス３の２次巻線３ｃには、図２（Ｆ）に示すような黒点側を正極性とする電圧Ｓ７が誘起され、電圧駆動素子Ｑは電圧Ｓ７によって順バイアスされてオンする。
【００３３】
この期間、信号反転ＩＣ１０はオン信号を反転して、図２（Ｃ）に示すような低電圧レベルのオフ信号Ｓ５をオフ駆動用スイッチ素子５のゲートに与え、オフ駆動用スイッチ素子５をオフにしている。したがって、図２（Ｅ）に示すように、オフ駆動用スイッチ素子５のドレインＤの電圧は高電圧レベルであり、第２の１次巻線３ｂには電流が流れず、第１の１次巻線３ａを流れる電流による不図示のコア内の磁束変化によってエネルギーが駆動トランス３に蓄えられる。
【００３４】
次に、オン信号Ｓ１が降下してオフ信号Ｓ２となると、バッファＩＣ９はオン駆動用スイッチ素子４に、図２（Ｂ）に示すようなオフ信号Ｓ４を与えてこれをオフさせる。これに伴い第１の１次巻線３ａに流れていた電流は減少し、ゼロとなり、オン駆動用スイッチ素子４のドレインＤの電圧は、図２（Ｄ）に示すように高電圧レベルとなる。
【００３５】
一方、信号反転ＩＣ１０はオフ信号Ｓ２を反転させて、図２（Ｃ）に示すような適当な大きさの電圧レベルのオン駆動信号Ｓ６を生じ、オフ駆動用スイッチ素子５をオンさせる。このオンによって、オフ駆動用スイッチ素子５のドレインＤの電圧は、図２（Ｅ）に示すようにほぼゼロまで下がる。
【００３６】
オフ駆動用スイッチ素子５がオンすると、電圧駆動素子Ｑのゲートキャパシタンスの電荷は、２次巻線３ｃを通して第２の１次巻線３ｂの黒点側を正極として、第２の１次巻線３ｂ―オフ駆動用スイッチ素子５―ダイオード７からなる閉回路で放電され、電圧駆動素子Ｑのゲート電圧をゼロにする。
【００３７】
すなわち、オフ駆動用スイッチ素子５がオンすることによって、等価的に２次巻線３ｃを短絡し、電圧駆動素子Ｑのゲートキャパシタンスの電荷を放出する。その電荷の放出が終了すると、駆動トランス３はリセット動作に入り、抵抗６を通して第２の１次巻線３ｂに電圧を印加する。このとき、第２の１次巻線３ｂの黒点側は負極となるので、２次巻線３ｃにも黒点を負とする電圧が発生し、電圧駆動素子Ｑのゲートを負側に逆バイアスし、電圧駆動素子Ｑを高速でターンオフさせる。
【００３８】
駆動トランス３のリセットは、抵抗６で制限される電流に対応する磁束に戻って完了し、次のサイクルに移行する。以下、このような動作を繰り返す。
【００３９】
次に、再び制御信号端子８にオン信号が印加され、前述のような動作を繰り返すことによって、電圧駆動素子Ｑを常に高速でターンオフさせる。
【００４０】
図３は本発明の他の実施例である電圧駆動素子の駆動回路２００を示す。図３において、図１の記号と同じ記号は同一の名称の部材を示すものとする。オン駆動用スイッチ素子４とオフ駆動用スイッチ素子５のゲートとをドライブ用抵抗１２、１３を介して駆動電源電圧端子１に接続すると共に、抵抗６と並列にコンデンサ１１を接続したものである。
【００４１】
この駆動回路２００によれば、駆動電源電圧端子１からコンデンサ１１を通して、オフ駆動用スイッチ素子５のオン時に先ず急峻な電流が第２の１次巻線３ｂを通して流れるために、２次巻線３ｃに極性を示す黒点側を負とする急峻な電圧が発生し、電圧駆動素子Ｑを更に高速でターンオフさせることができる。
【００４２】
また、オン駆動用スイッチ素子４とオフ駆動用スイッチ素子５のゲートにドライブ用抵抗１２、１３を接続したことにより、オン駆動用スイッチ素子４とオフ駆動用スイッチ素子５とを安定にオン、オフでき、駆動回路の信頼性を向上させることができる。
【００４３】
図４は本発明の他の実施例である電圧駆動素子の駆動回路３００を示す。図４において、図１又は図３の記号と同じ記号は同一の名称の部材を示すものとする。この駆動回路３００は、駆動回路２００における駆動トランス３の２次巻線３ｃに誤動作防止回路１４を設けたことを特徴としている。誤動作防止回路１４は、２次巻線３ｃに並列に接続された抵抗１５と、ダイオード１６を介して抵抗１５と並列になるように、直列接続されたトランジスタ１７とダイオード１８とからなる直列接続回路とで構成される。ダイオード１６は２次巻線３ｃと直列に接続されると共に、トランジスタ１７のベースーエミッタ間に接続される。
【００４４】
この誤動作防止回路１４の動作は、駆動トランス３の２次巻線３ｃに、その黒点側が正極の電圧が誘起される、つまり電圧駆動素子Ｑがオンのときには、オフである。このとき、トランジスタ１７のベースーエミッタ間はダイオード１６の順方向ドロップによって逆バイアスされ、トランジスタ１７はオフ状態にある。次に、駆動トランス３の２次巻線３ｃに、その黒点側が負極の電圧が誘起されるときには、トランジスタ１７のベースは高い電圧にあるから、順バイアス状態にある。
【００４５】
したがって、電圧駆動素子Ｑのゲートードレイン間の静電容量Ｃｓなどを通して正の大きなノイズ電圧が入来したとしても、ダイオード１８、トランジスタ１７を通してソース側に流れ、電圧駆動素子Ｑのゲートーソース間は実質的にダイオード１８とトランジスタ１７とによって短絡されるので、電圧駆動素子Ｑが誤動作することはない。
【００４６】
図５は本発明の他の実施例である電圧駆動素子の駆動回路４００を示す。図５において、図１、図３、図４の記号と同じ記号は同一名称の部材を示すものとする。この実施例では、前述のようなオン駆動信号とオフ信号が駆動信号端子８’に交互に印加される。オン駆動信号が駆動信号端子８’に印加されると、オン駆動用スイッチ素子４はオンとなり、オフ駆動用スイッチ素子５は信号反転回路１０’を通してオフ信号が印加されるためオフである。逆に、オフ信号が駆動信号端子８’に印加されるとき、オフ駆動用スイッチ素子５はオンで、オン駆動用スイッチ素子４はオフである。
【００４７】
この実施例では、高速で動作するインバータ回路である信号反転ＩＣ１０を用いたので、前記実施例のバッファＩＣ９を省略した。高速で動作する信号反転ＩＣ１０を用いた場合にはその動作遅れが小さく、バッファＩＣ９を省略しても、信号反転ＩＣ１０の動作遅れによるオン駆動用スイッチ素子４とオフ駆動用スイッチ素子５とが同時にオンする期間は非常に短いから、その電力損失を通常は無視できる。しかし、その電力損失が問題になる場合には、前記実施例と同様にバッファＩＣ９を用いれば良い。
【００４８】
また、この誤動作防止回路１４’は、駆動回路３００の誤動作防止回路１４にゲート直列抵抗１９とゲートーソース間抵抗２０を付加してなる。このような抵抗を付加したことによって、更に電圧駆動素子Ｑの保護が確実となり、かつ安定なスイッチング動作が期待できる。
【００４９】
図６は、駆動トランス３の２次巻線を２個とし、負荷側のトランスＴの１次巻線を介して２個の電圧駆動素子Ｑを接続すると共に、それぞれの電圧駆動素子Ｑのゲートーソース間に誤動作防止回路１４’、これと同様な回路構成の誤動作防止回路１４’’を接続することによって、電位の異なる２個の電圧駆動素子Ｑを同じ位相、つまり同時に駆動できる実施例を示す。
【００５０】
この実施例は、図示しないが、例えば４個の電圧駆動素子をブリッジに接続してなるブリッジインバータ回路に用いるのに好都合である。図６に示す回路を２組用意し、一方の組の一対の電圧駆動素子がオンするときトランスＴの１次巻線に電流を流し、次に他方の組の一対の電圧駆動素子がオンのときトランスＴの１次巻線に逆方向に電流を流すように、トランスＴの１次巻線に接続することによって、ブリッジインバータ回路を容易に構成することができる。
【００５１】
なお、導電型の異なる電圧駆動素子やスイッチ素子を用いる場合には、信号の極性を変えることによって、この発明を適用することができる。また、電圧駆動素子を複数個並列にすることも可能である。さらに、別の２次巻線を付加して複数の電圧駆動素子をスイッチングさせるときは、電圧駆動素子の特性のアンバランスを補正して同時にターンオンさせるために、各電圧駆動素子のゲートと直列にバランス用の抵抗を接続することも考えられる。
【００５２】
【発明の効果】
本発明によれば、電圧駆動素子の駆動回路を小型化、簡素化、低価格化することができる。
【図面の簡単な説明】
【図１】本発明の一実施例である電圧駆動素子の駆動回路１００を示す図である。
【図２】前記実施例を説明するための各部の電圧波形を示す図である。
【図３】本発明の他の実施例である電圧駆動素子の駆動回路２００を示す図である。
【図４】本発明の他の実施例である電圧駆動素子の駆動回路３００を示す図である。
【図５】本発明の他の実施例である電圧駆動素子の駆動回路４００を示す図である。
【図６】本発明の他の実施例である電圧駆動素子の駆動回路５００を示す図である。
【図７】従来の電圧駆動素子の駆動回路を示す図である。
【符号の説明】
１、２…駆動電源電圧端子、
３…駆動トランス、
４…オン駆動用スイッチ素子、
５…オフ駆動用スイッチ素子、
６…抵抗、
７…循環用ダイオード、
８…制御信号端子、
８’…駆動信号端子
９…バッファＩＣ、
１０…信号反転ＩＣ、
１１…コンデンサ、
１２、１３…ドライブ用抵抗、
１４…誤動作防止回路、
１５…抵抗、
１６…ダイオード、
１７…トランジスタ、
１８…ダイオード、
１９…ゲート直列抵抗、
２０…ゲートーソース間抵抗。
【図１】
2005006172.tif 000003
【図２】
2005006172.tif 000004
【図３】
2005006172.tif 000005
【図４】
2005006172.tif 000006
【図５】
2005006172.tif 000007
【図６】
2005006172.tif 000008
【図７】
2005006172.tif 000009